(57)【特許請求の範囲】
【請求項１】
電力量計に接続された複数の電線を挿入可能な複数の電線挿入部が櫛状に設けられ、前記各電線挿入部を仕切る各隔壁部を貫通して挿入孔が形成され、該挿入孔に棒状の受け部材を挿入して、該受け部材と前記電線挿入部との間に前記電線が位置した状態で、押し切り電極で前記電線の被覆を破って電気的に接続する無停電計器取替装置であって、
少なくとも側端に位置する前記隔壁部の前記挿入孔は、該隔壁部の側縁から開口された導入部を有し、該導入部から前記受け部材を挿入可能となっている、
ことを特徴とする無停電計器取替装置。
【請求項２】
前記受け部材に第１の係合部が設けられ、前記側端に位置する隔壁部に第２の係合部が設けられ、
前記挿入孔に前記受け部材を挿入した状態で、前記第１の係合部と前記第２の係合部とが係合可能となっている、
ことを特徴とする請求項１に記載の無停電計器取替装置。
【発明の詳細な説明】
【技術分野】
【０００１】
この発明は、電力量計を無停電で取り替えるための無停電計器取替装置に関する。
【背景技術】
【０００２】
従来、交換や修理、点検などのために電力量計を取り替える場合、電力量計から電線を取り外すと需要家宅に電力が供給されなくなり、電力量計の取り替えに際しては停電を余儀なくされていた。このような不都合を解決するために、無停電で電力量計を取り替えることを可能にする無停電工具が知られている（例えば、特許文献１参照。）。
【０００３】
この無停電工具は、工具本体に各電線を挿入可能な複数の電線挿入部が設けられ、この電線挿入部の開口を塞ぐ棒状の受け部材を備え、各電線挿入部に挿入された各電線を各電線用押さえ部材の先端と受け部材とで挟んで固定する。この状態で、押し切り電極で各電線の被覆を破って電気的に接続する。ここで、工具本体には、電線用押さえ部材を挿入する押さえ部材挿入部の先端部に、一方の側面から他方の側面まで、側縁に沿って各電線挿入部を貫通するよう挿入孔が形成され、２つの受け部材をそれぞれ左右から挿入孔に挿入して全電線挿入部の開口を塞ぐものである。
【先行技術文献】
【特許文献】
【０００４】
【特許文献１】特開２０１４−０９８５６２号公報
【発明の概要】
【発明が解決しようとする課題】
【０００５】
ところで、工具本体の側面から電力量計の計器箱の側壁までの距離・空間が狭いため、受け部材を挿入孔に挿入する際に、計器箱の側壁が邪魔して受け部材を挿入し難い場合がある。特に、一方・右側の受け部材が長いため、挿入孔に挿入することが困難である。このため、挿入する際に、充電されている電力量計や電線を引き上げたりする必要があり、電線が緩んで電力量計から外れて感電するおそれや、電力量計が脱落して損傷するおそれがあった。
【０００６】
一方、電力量計が計器箱に収納されていない場合（例えば、集合計器）であっても、電力量計とその周辺物との距離・空間が狭い場合がある。そのような場合には、周辺物が干渉して、受け部材を挿入孔に挿入することが困難な場合や、さらには、無停電工具を使用できない場合も生じ得る。
【０００７】
そこでこの発明は、受け部材を容易かつ確実に挿入することが可能な無停電計器取替装置を提供することを目的とする。
【課題を解決するための手段】
【０００８】
上記課題を解決するために、請求項１の発明は、電力量計に接続された複数の電線を挿入可能な複数の電線挿入部が櫛状に設けられ、前記各電線挿入部を仕切る各隔壁部を貫通して挿入孔が形成され、該挿入孔に棒状の受け部材を挿入して、該受け部材と前記電線挿入部との間に前記電線が位置した状態で、押し切り電極で前記電線の被覆を破って電気的に接続する無停電計器取替装置であって、少なくとも側端に位置する前記隔壁部の前記挿入孔は、該隔壁部の側縁から開口された導入部を有し、該導入部から前記受け部材を挿入可能となっている、ことを特徴とする。
【０００９】
請求項２の発明は、請求項１に記載の無停電計器取替装置において、前記受け部材に第１の係合部が設けられ、前記側端に位置する隔壁部に第２の係合部が設けられ、前記挿入孔に前記受け部材を挿入した状態で、前記第１の係合部と前記第２の係合部とが係合可能となっている、ことを特徴とする。
【発明の効果】
【００１０】
請求項１の発明によれば、側端に位置する隔壁部の挿入孔に対しては、隔壁部の側縁の導入部から受け部材を挿入する。つまり、棒状の受け部材を横から挿入孔に挿入することができ、受け部材を先端から挿入孔に挿入する必要がない。このため、計器箱の側壁などが接近していて作業空間が狭い場合でも、計器箱などが邪魔にならず、受け部材を容易、迅速かつ確実に挿入孔に挿入することが可能となる。
【００１１】
この結果、電線などを引き上げたりする必要がなくなり、電線が外れて感電することや電力量計が脱落して損傷することなどが軽減され、安全性が向上する。また、作業環境に依らず受け部材を確実に挿入可能なため、無停電計器取替装置による電力量計の取替作業をより確実に実施することが可能となる。
【００１２】
請求項２の発明によれば、挿入孔に受け部材を挿入した状態で、受け部材の第１の係合部と隔壁部の第２の係合部とを係合可能なため、受け部材が挿入孔の導入部から抜け出たりずれたりするのを防止して、受け部材の挿入状態を適正に維持することが可能となる。
【図面の簡単な説明】
【００１３】
【図１】この発明の実施の形態に係る無停電計器取替装置を電力量計に配設した状態を示す斜視図である。
【図２】図１の無停電計器取替装置の受け部材を取り付ける前の状態を下側から見た図である。
【図３】図１の無停電計器取替装置の受け部材を取り付けた後の状態を下側から見た図である。
【図４】図１の無停電計器取替装置の受け部材を取り付ける前の状態を右側から見た図である。
【図５】図１の無停電計器取替装置の受け部材を取り付けた後の状態を右側から見た図である。
【発明を実施するための形態】
【００１４】
以下、この発明を図示の実施の形態に基づいて説明する。
【００１５】
図１〜図５は、この発明の実施の形態を示し、図１は、この実施の形態に係る無停電計器取替装置１を電力量計１０１に配設した状態を示す斜視図である。この無停電計器取替装置１は、電力量計１０１を無停電で取り替えるための装置であり、挿入孔２３と係合部４１、４２を除いて、既知の無停電工具と同等の構成となっており、まず、その概略について説明する。
【００１６】
装置本体２の先端部に、電力量計１０１に接続された複数の電線１０２を挿入可能な、複数の電線挿入部２１が櫛状に設けられている。すなわち、図２に示すように、装置本体２の先端縁からＵ字状に開口した電線挿入部２１が、横並びに連続的に形成され、隣接する電線挿入部２１は隔壁部２２で仕切られている。
【００１７】
そして、各隔壁部２２を貫通して挿入孔２３が形成され、この挿入孔２３に棒状の受け部材３１、３２を挿入可能となっている。この受け部材３１、３２は、電気絶縁製で、連結紐３３を介して装置本体２に連結され、この実施の形態では、一方（図中右側）の第１の受け部材３１が他方（図中左側）の第２の受け部材３２よりも長くなっている。
【００１８】
一方、装置本体２内には、各電線挿入部２１に対向して電線用押さえ部材（図示せず）が、電線１０２を押圧可能に配設されている。そして、図３に示すように、挿入孔２３に受け部材３１、３２を挿入して、受け部材３１、３２と電線挿入部２１との間に電線１０２が位置した状態で、受け部材３１、３２と電線用押さえ部材とで電線１０２を挟むことで、無停電計器取替装置１が電力量計１０１に取り付けられる。このとき、装置本体２の先端部は、電力量計１０１の計器箱１０３の背面板１０３ａに接する。
【００１９】
さらに、装置本体２内には、各電線挿入部２１に対向して押し切り電極（図示せず）が、電線１０２に対して進退自在に配設されている。そして、受け部材３１、３２と電線挿入部２１との間に電線１０２が位置して、受け部材３１、３２と電線用押さえ部材とで電線１０２を挟んだ状態で、各押し切り電極を電線１０２側に進動させる。これにより、各押し切り電極が各電線１０２の被覆を破って、無停電計器取替装置１と各電線１０２とが電気的に接続されるものである。
【００２０】
このような構成において、少なくとも側端に位置する隔壁部２２の挿入孔２３は、この隔壁部２２の側縁から開口された導入部２３１を有し、この導入部２３１から受け部材３１、３２を挿入可能となっている。すなわち、この実施の形態では、短い第２の受け部材３２は、計器箱１０３の側壁１０３ｂが邪魔にならず、第２の受け部材３２の先端から挿入孔２３に挿入することができるが、長い第１の受け部材３１は、計器箱１０３の側壁１０３ｂが邪魔となり、第１の受け部材３１の先端から挿入孔２３に挿入することが困難である。このため、装置本体２の右側端に位置する隔壁部２２の挿入孔２３と、この隔壁部２２に隣接する（右から２つ目の）隔壁部２２の挿入孔２３が、図４に示すように、カギ型（逆さＬ字状）となっている。
【００２１】
具体的には、電力量計１０１を垂直に配置した状態で、隔壁部２２の下端縁（側縁）２２ａから開口され垂直上方に延びる導入部２３１と、この導入部２３１と連通して奥側（装置本体２の先端側）に水平に延びる装着部２３２とを備えている。そして、導入部２３１から第１の受け部材３１を挿入して、第１の受け部材３１を装着部２３２に収容可能となっている。また、他の隔壁部２２の挿入孔２３は、開口を有さない閉じた孔（丸孔）で、これらの挿入孔２３と装着部２３２とが同位置（同軸）に形成されている。
【００２２】
従って、第１の受け部材３１を各挿入孔２３に挿入する際には、まず、図２に示すように、右側端とその隣の隔壁部２２の挿入孔２３に対して、第１の受け部材３１を横（先端側の側面）から導入部２３１に挿入する。次に、第１の受け部材３１の先端側を装着部２３２に収容し、図３に示すように、第１の受け部材３１を左側に移動させて、右側端から３つ目以降の隔壁部２２の挿入孔２３に挿入する。
【００２３】
ここで、右側端とその隣の隔壁部２２の挿入孔２３をカギ型としているのは、第１の受け部材３１の長さと作業空間（装置本体２の側面から計器箱１０３の側壁１０３ｂまでの距離・空間）を考慮して、この２つの挿入孔２３のみをカギ型にすれば、側壁１０３ｂが邪魔にならずに第１の受け部材３１を導入部２３１に挿入できるためである。
【００２４】
一方、第２の受け部材３２を各挿入孔２３に挿入する際には、第２の受け部材３２の先端を左側端の隔壁部２２の挿入孔２３に対向させ、第２の受け部材３２を右側に移動させて順次挿入孔２３に挿入する。
【００２５】
また、第１の受け部材３１に第１の係合部４１が設けられ、右側端に位置する隔壁部２２に第２の係合部４２が設けられ、各挿入孔２３に第１の受け部材３１を挿入した状態で、第１の係合部４１と第２の係合部４２とが係合可能となっている。
【００２６】
すなわち、図２、図５に示すように、第１の受け部材３１の基端面（反先端側の端面）に、連結紐３３の一端部に取り付けられた端子４がネジ止めされている。この端子４は、ネジ止めする先端部が円環状の圧着端子で構成され、連結紐３３が圧着・連結された筒状の圧着部が第１の係合部４１となっている。一方、第２の係合部４２は、図４、図５に示すように、四角いブロック状の小片で、右側端に位置する隔壁部２２の導入部２３１の奥側（装置本体２の先端側）に、隔壁部２２から外側に突出して設けられている。
【００２７】
そして、上記のようにして、各挿入孔２３に第１の受け部材３１を挿入して、第１の受け部材３１の基端側を装着部２３２に収容した状態で、第１の係合部４１を第２の係合部４２の奥側に位置させる。これにより、第１の係合部４１と第２の係合部４２とが係合して、第１の受け部材３１が装着部２３２から抜けにくくなる。
【００２８】
以上のように、本無停電計器取替装置１によれば、右側端とその隣の隔壁部２２の挿入孔２３に対しては、隔壁部２２の下端縁（側縁）２２ａの導入部２３１から第１の受け部材３１を挿入する。つまり、棒状の第１の受け部材３１を横（側面）から挿入孔２３に挿入することができ、第１の受け部材３１を先端から挿入孔２３に挿入する必要がない。このため、計器箱１０３の側壁１０３ｂなどが接近していて作業空間が狭い場合でも、計器箱１０３などが邪魔にならず、第１の受け部材３１を容易、迅速かつ確実に挿入孔２３に挿入することが可能となる。
【００２９】
この結果、電線１０２などを引き上げたりする必要がなくなり、電線１０２が外れて感電することや電力量計１０１が脱落して損傷することなどが軽減され、安全性が向上する。また、作業環境に依らず受け部材３１、３２を確実に挿入可能なため、無停電計器取替装置１による電力量計１０１の取替作業をより確実に実施することが可能となる。
【００３０】
また、右側端とその隣の隔壁部２２の挿入孔２３がカギ型（逆さＬ字状）となっているため、第１の受け部材３１が挿入孔２３から外れにくい。しかも、挿入孔２３に第１の受け部材３１を挿入した状態で、第１の受け部材３１の第１の係合部４１と隔壁部２２の第２の係合部４２とを係合することで、第１の受け部材３１が挿入孔２３の導入部２３１から抜け出たりずれたりするのが防止される。この結果、第１の受け部材３１の挿入状態を適正に維持することが可能となる。
【００３１】
以上、この発明の実施の形態について説明したが、具体的な構成は、上記の実施の形態に限られるものではなく、この発明の要旨を逸脱しない範囲の設計の変更等があっても、この発明に含まれる。例えば、上記の実施の形態では、装置本体２の右側端とその隣の隔壁部２２の挿入孔２３のみに導入部２３１を設けているが、受け部材３１、３２の長さや作業空間などに応じて、左側端の隔壁部２２の挿入孔２３やその他の挿入孔２３に導入部２３１を設けてもよい。
【００３２】
また、２つの受け部材３１、３２を備える場合について説明したが、電線１０２の数や計器箱１０３の大きさなどによっては、受け部材を１つのみ備えてもよい。さらに、第１の係合部４１と第２の係合部４２を連結して、第１の受け部材３１を固定するようにしてもよい。
【符号の説明】
【００３３】
１        無停電計器取替装置
２        装置本体
２１      電線挿入部
２２      隔壁部
２３      挿入孔
２３１    導入部
２３２    装着部
３１、３２  受け部材
４        端子
４１      第１の係合部
４２      第２の係合部
１０１    電力量計
１０２    電線
１０３    計器箱
【図１】
0006561740.tif 000002
【図２】
0006561740.tif 000003
【図３】
0006561740.tif 000004
【図４】
0006561740.tif 000005
【図５】
0006561740.tif 000006